【手続補正書】
【提出日】平成22年9月24日(2010.9.24)
【手続補正１】
【補正対象書類名】明細書
【補正対象項目名】００１３
【補正方法】変更
【補正の内容】
【００１３】
励起装置は、共振空洞内において開放された遠端と、電磁波生成器及び／又は受信機に接続可能である近端とを備える少なくとも１つのフレア電磁導波路を有し、遠端の横断断面（ｔｒａｎｓｖｅｒｓｅ  ｃｒｏｓｓ−ｓｅｃｔｉｏｎ）の表面積は、近端の横断断面の表面積を正確に上回っており、且つ、導波路の遠端は、前述の電磁波を注入及び／又は受信する表面を形成するべく、下部壁と同一平面上にある。
【手続補正２】
【補正対象書類名】明細書
【補正対象項目名】００１７
【補正方法】変更
【補正の内容】
【００１７】
励起装置は、それ自体が、欠陥を有するＰＢＧ材料を使用する構造であり、励起装置の前述の電磁波を注入及び／又は受信する表面を形成するべく、少なくとも１次元の周期性と、共振空洞の下部壁と同一平面上にある外部面とを有するＰＢＧ材料（１１４）とを具備する。
【手続補正３】
【補正対象書類名】明細書
【補正対象項目名】００２０
【補正方法】変更
【補正の内容】
【００２０】
電磁波を注入及び／又は受信する表面は、厳密に放射外部面の表面積未満であり、且つ、好ましくは、放射外部面の表面積の１／２未満である。
【手続補正４】
【補正対象書類名】明細書
【補正対象項目名】００３２
【補正方法】変更
【補正の内容】
【００３２】
又、本発明は、電磁波を送信及び／又は受信するシステムにも関し、このシステムは、システムによって送信及び／又は受信される電磁波を合焦する装置であって、この装置は、焦点を有するような装置と、送信又は受信において放射性を有し、且つ、実質的に電磁波を合焦する装置の焦点のレベルに配置された外部面を有するマルチバンドルアンテナとを備え、この場合に、マルチバンドルアンテナは、ＰＢＧ（フォトニックバンドギャップ）を使用するアンテナであって、少なくとも１次元の周期性並びに送信及び／又は受信において放射性を有する放射外部面を有するＰＢＧ材料と、ＰＢＧ材料のストップバンド内において少なくとも１つの狭い通過帯域を生成することが可能である共振空洞を形成するＰＢＧ材料の少なくとも１つの周期性欠陥であって、この共振空洞は、放射外部面の反対側のＰＢＧ材料の下部面によって形成された上部壁と、上部壁と対向する下部壁とを有するようなＰＢＧ材料の少なくとも１つの周期性欠陥と、共振空洞を共振させることが可能である複数の励起装置であって、これらの励起装置は、狭い通過帯域内に含まれる動作周波数において電磁波を注入及び／又は受信する表面を有し、この表面は、共振空洞の下部壁と同一平面上にあるような複数の励起装置とを有する。
【手続補正５】
【補正対象書類名】特許請求の範囲
【補正対象項目名】全文
【補正方法】変更
【補正の内容】
【特許請求の範囲】
【請求項１】
欠陥を有するＰＢＧ（フォトニックバンドギャップ）材料を使用するアンテナにおいて、
少なくとも１次元の周期性と、送信及び／又は受信において放射性を有する放射外部面（２０）とを有するＰＢＧ材料（４）と、
前記ＰＢＧ材料のストップバンド内において少なくとも１つの狭い通過帯域を生成することが可能である共振空洞（８）を形成する前記ＰＢＧ材料の少なくとも１つの周期性欠陥であって、前記共振空洞は、前記放射外部面の反対側の前記ＰＢＧ材料の下部面によって形成された上部壁及び前記上部壁と対向する下部壁とを有するようなＰＢＧ材料の少なくとも１つの周期性欠陥と、
前記共振空洞を共振させることが可能である少なくとも１つの励起装置（１０、７０、８６、９４、１００、１１２、１３２及び１５２）であって、前記励起装置は、前記の狭い通過帯域内に含まれる動作周波数において電磁波を注入及び／又は受信する表面（２６、１２２）を有し、前記表面は、前記共振空洞の前記下部壁と同一平面上にあるような少なくとも１つの励起装置とを具備し、
前記電磁波を注入及び／又は受信する表面は、少なくともλを上回る幅又は長さ又は直径を有し、ここで、λは、前記動作周波数の波長であることを特徴とするアンテナ。
【請求項２】
前記電磁波を注入及び／又は受信する表面上における前記電磁波の電力の分布は、前記電力が最大である地点を有し、前記地点は、前記表面の周辺部から離れており、且つ、前記電力は、前記表面のプレーン内にあると見なされる直線の方向とは無関係に、前記地点から前記周辺部に向かって延長する直線に沿って連続的に減少する請求項１記載のアンテナ。
【請求項３】
前記励起装置は、前記共振空洞内において開放される遠端と、電磁波生成器及び／又は受信機（３０）に対して接続可能である近端とを備える少なくとも１つのフレア電磁導波路（３２、５２、５４、７０、８６、９４及び１００）を有し、前記遠端の横断断面の表面積は、前記近端の横断断面の表面積を正確に上回り、且つ、前記導波路の前記遠端は、前記電磁波を注入及び／又は受信する表面を形成するべく、前記下部壁と同一平面上にある請求項２記載のアンテナ。
【請求項４】
前記フレア導波路（３２、５２、５４、７０、８６、９４及び１００）は、その横断断面が一定であり、且つ、前記近端の前記断面と等しい供給導波路（３４、７２、７８及び８８）と、その横断断面が前記近端の前記横断断面と同一である小さな断面から前記遠端の前記横断断面と同一である大きな断面に増大するフレア部分（３６、７４、８０、９０及び１０４）とを有し、前記フレア部分の前記小さな断面は、前記供給導波路に対して端と端を接した状態で配置され、且つ、前記供給導波路の前記横断断面の寸法は、前記供給導波路内において１つの電磁波伝播モードのみを許容するのに適する請求項３記載のアンテナ。
【請求項５】
前記供給導波路（３４、７２、７８及び８８）の前記横断断面の前記寸法は、ＴＥ１０又はＴＥ１１伝播モードのみを許容するのに適する請求項４記載のアンテナ。
【請求項６】
前記フレア部分（３６、７４、８０、９０、１０４）の前記大きな断面から前記小さな断面を分離する最短距離は、ｄminを上回り、ここで、ｄmin＝０．２５＊ａであり、且つ、ａは、前記大きな断面の最大の幅又は長さ又は直径に等しい請求項４又は５記載のアンテナ。
【請求項７】
前記励起装置は、それ自体が、前記励起装置の前記電磁波を注入及び／又は受信する表面を形成するべく、少なくとも１次元の周期性と、前記共振空洞の下部壁と同一平面上にある外部面（１２２）とを有するＰＢＧ材料（１１４）を具備する構造であって、欠陥を有するＰＢＧ材料を使用する構造（１１２）である請求項２記載のアンテナ。
【請求項８】
前記励起装置（１３２）は、前記共振空洞の前記下部壁に対して平行な方向において前記電磁波を導波する複数の横方向壁を有する導波路であり、前記横方向壁の中の１つのもの（１３６）は、前記電磁波を注入及び／又は受信する面を形成するべく、導波される前記電磁波に対して透過性を有し、且つ、前記共振空洞の前記下部壁と同一平面上にある請求項１記載のアンテナ。
【請求項９】
前記励起装置は、接地プレーン（６）と、前記接地プレーンの表面に対して固定され、且つ、前記接地プレーンから電気的に絶縁された導電性材料のストリップ（１５２）とを有し、前記ストリップ（１５２）は、電磁波生成器及び／又は受信機（３０）に対して接続された際に、前記電磁波を注入及び／又は受信する表面を形成するべく、前記共振空洞の前記下部壁と同一平面上にある状態において嵌め込まれる請求項１記載のアンテナ。
【請求項１０】
前記電磁波を注入及び／又は受信する表面は、厳密に前記放射外部面（２０）の表面積未満であり、且つ、好ましくは、前記放射外部面の前記表面積の１／２未満である、請求項１から９のいずれか一項に記載のアンテナ。
【請求項１１】
前記共振空洞の前記下部壁と前記電磁波を注入及び／又は受信する表面とは、同一プレーン内にある請求項１から１０のいずれか一項に記載のアンテナ。
【請求項１２】
前記アンテナは、それぞれが前記共振空洞の前記下部壁と同一平面上にある電磁波を注入及び／又は受信する表面を有する複数の励起装置（５２、５４）を備える請求項１から１１のいずれか一項に記載のアンテナ。
【請求項１３】
電磁波を送信及び／又は受信するシステムにおいて、
前記システムによって送信及び／又は受信される前記電磁波を合焦する装置（６２）であって、前記装置は、焦点（６４）を有するような装置と、
送信及び受信において放射性を有し、且つ、実質的に前記電磁波を合焦する装置の前記焦点のレベルに配置された外部面を有するマルチバンドルアンテナ（６６）とを備え、
前記マルチバンドルアンテナは、
少なくとも１次元の周期性と、送信及び／又は受信において放射性を有する放射外部面とを有するＰＢＧ材料（４）と、
前記ＰＢＧ材料のストップバンド内において少なくとも１つの狭い通過帯域を生成することが可能である共振空洞（８）を形成する前記ＰＢＧ材料の少なくとも１つの周期性欠陥であって、前記共振空洞は、前記放射外部面の反対側の前記ＰＢＧ材料の下部面によって形成された上部壁と、前記上部壁に対向する下部壁とを有するような前記ＰＢＧ材料の少なくとも１つの周期性欠陥と、
前記共振空洞を共振させることが可能である複数の励起装置（１０、７０、８６、９４、１００、１１２、１３２及び１５２）であって、前記励起装置は、前記の狭い通過帯域内に含まれる動作周波数において電磁波を注入及び／又は受信する表面（２６、１２２）を有し、前記表面は、前記共振空洞の前記下部壁と同一平面上にあるような複数の励起装置とを有する、ＰＢＧ（フォトニックバンドギャップ）材料を使用するアンテナであり、
それぞれの電磁波を注入及び／又は受信する表面は、少なくともλを上回る幅又は長さ又は直径を有し、ここで、λは、対応する前記励起装置の前記動作周波数の波長であることを特徴とするシステム。
【請求項１４】
電磁波を送信又は受信する方法において、
請求項１から１２のいずれか一項に記載のアンテナを利用して前記電磁波を送信する段階又は受信する段階を有することを特徴とする方法。